(57)【要約】【課題】建物ごとのサマータイムの運用に合わせて、適切な時間帯に時刻を切り替えるサマータイム時刻制御システム及び時刻切替方法を提供する。【解決手段】遠隔管理センタ１０は、建物８ａ〜８ｃごとのサマータイムに対する運用情報を記憶するサマータイム情報記憶部２と、記憶された運用情報に基づき、サマータイムに関する切替情報及び切替条件を設定し、設備制御部１３ａ〜１３ｃに発信するサマータイム情報管理部３と、を備え、設備制御部１３は、エレベータおける内部時計１４ａ〜１４ｃの時刻を制御するサマータイム時刻制御部５ａ〜５ｃと、切替条件に合致した時刻であるか否かを判断するサマータイム時刻判断部４ａ〜４ｃと、を備え、サマータイム時刻制御部５ａ〜５ｃは、切替条件に合致すると判断された場合に切替情報に基づいてエレベータかご１１ａ〜１１ｃ内の時刻表示装置９ａ〜９ｃを切り替える。【選択図】図１
2010111484.tif 000002
【特許請求の範囲】
【請求項１】
建物に設けられた設備制御部と、各建物内の設備を遠隔から管理する遠隔管理センタとが通信回線を介して接続され、
遠隔管理センタは、
建物ごとのサマータイムに対する運用情報を記憶するサマータイム情報記憶部と、
サマータイム情報記憶部に記憶された運用情報に基づき、サマータイムに関する切替情報及び切替条件を設定し、建物の設備制御部に発信するサマータイム情報管理部と、を備え、
各建物の設備制御部は、
建物内の設備おける時刻を制御するサマータイム時刻制御部と、
切替条件に合致した時刻であるか否かを判断するサマータイム時刻判断部と、を備え、
サマータイム時刻制御部は、サマータイム時刻判断部が切替条件に合致すると判断した場合に、切替情報に基づいて建物内の設備における時刻を切り替えることを特徴とするサマータイム時刻制御システム。
【請求項２】
請求項１に記載のサマータイム時刻制御システムであって、サマータイム時刻制御部は、エレベータにおける制御記録用の内部時計の時刻を切り替え、内部時計の時刻に従ってエレベータかご内の時刻表示を切り替えさせることを特徴とするサマータイム時刻制御システム。
【請求項３】
請求項２に記載のサマータイム時刻制御システムであって、サマータイム情報管理部が発信する切替条件には、エレベータかごの呼び登録がないこと、及びエレベータの管制運転時でないことが含まれることを特徴とするサマータイム時刻制御システム。
【請求項４】
請求項２に記載のサマータイム時刻制御システムであって、サマータイム情報管理部が発信する切替情報には、サマータイム切替時間帯、サマータイム復旧時間帯、変更相対時間が含まれることを特徴とするサマータイム時刻制御システム。
【請求項５】
請求項２乃至４のいずれか１に記載のサマータイム時刻制御システムであって、サマータイム情報管理部は、エレベータの内部時計のずれを遠隔からの通信により時刻合わせをする遠隔管理センタの時刻調整手段に対し、サマータイムに関する切替情報を通知することを特徴とするサマータイム時刻制御システム。
【請求項６】
遠隔管理センタが、建物ごとのサマータイムに関する運用情報を記憶するステップと、
遠隔管理センタが、サマータイムに関する運用情報に従い、サマータイム切替時間帯又はサマータイム復旧時間帯、変更相対時間、及び切替条件を設定して建物の設備制御部に発信するステップと、
建物の設備制御部が、サマータイム切替時間帯又はサマータイム復旧時間帯に該当するか否かを判断するステップと、
サマータイム切替時間帯又はサマータイム復旧時間帯のいずれかに該当する場合に、切替条件に合致した時刻であるか否かを判断するステップと、
切替条件に合致した時刻であると判断した場合に、サマータイム切替時間帯又はサマータイム復旧時間帯に基づいて建物内の設備における時刻を変更相対時間だけ切り替えるステップと、
を備えることを特徴とするサマータイム時刻切替方法。
【請求項７】
請求項６に記載のサマータイム時刻切替方法であって、エレベータにおける制御記録用の内部時計の時刻が切り替えられ、内部時計の時刻に従ってエレベータかご内の時刻表示が切り替えられることを特徴とするサマータイム時刻切替方法。
【請求項８】
請求項６又は７に記載のサマータイム時刻切替方法であって、切替条件には、エレベータのかご呼び登録がないこと、及びエレベータの管制運転時ではないことが含まれることを特徴とするサマータイム時刻切替方法。
【請求項９】
請求項７又は８に記載のサマータイム時刻切替方法であって、エレベータの内部時計のずれを遠隔からの通信により時刻合わせをする遠隔管理センタの時刻調整手段に対し、サマータイムに関する切替情報を通知することを特徴とするサマータイム時刻切替方法。
【発明の詳細な説明】
【技術分野】
【０００１】
本発明は、サマータイム時刻制御システム、及びサマータイム時刻切替方法に係り、特に、エレベータにおける制御用内部時計をサマータイムの時刻に制御するサマータイム時刻制御システム、及びサマータイムの時刻に切り替えるサマータイム時刻切替方法に関する。
【背景技術】
【０００２】
サマータイムが施行された場合には、例えば、６月頃の所定の曜日に所定の時間だけ時刻が進められ、例えば、９月頃の所定の曜日に所定の時間だけ時刻が戻される。建物内の設備、例えば、エレベータにおける制御記録用の内部時計についてもサマータイムに対応させる必要がある。また、エレベータかご内の乗客がみる時刻表示についてもサマータイムに対応させる必要がある。
【０００３】
また、建物内の設備、例えば、エレベータにおける制御記録用の内部時計については、定期的に時刻表示のずれを調整する時刻合わせが行われている。例えば、特許文献１では、エレベータ制御システムの時刻調整方法が開示され、監視センタが、定期的に遠隔監視装置に対して診断、調整等の指令と、自センタ内に設けられ親時計である時計の情報に基づいて、遠隔監視装置に対して時計更正指令とを発行することが記載されている。
【０００４】
一方、特許文献２には、遠隔監視装置が開示されている。ここでは、サマータイムの実施時期になると、監視センタの情報選択部は、制御部で処理している各種情報の中の各顧客向けに利用される復旧管理情報及び出動拠点に伝送する出動指示情報を選択し、選択した復旧管理情報及び出動指示情報の中の時間情報をサマータイムに変更することが記載されている。
【０００５】
【特許文献１】特開平０７−３１５７０７号公報
【特許文献２】特開２０００−３３３２６７号公報
【発明の開示】
【発明が解決しようとする課題】
【０００６】
サマータイムの運用は地域又は建物により異なる可能性があり、遠隔管理センタにより全ての建物の時刻表示を一斉にサマータイム時に変更すると混乱する虞がある。また、一部の地域でのみ試行的にサマータイムを導入する場合、或いは、一部の地域で曜日をずらしてサマータイムを実施する場合などが生じた際に対応できない。
【０００７】
また、サマータイム切り替え時に、エレベータの乗客の存在にかかわらずかご内の時刻表示が切り替わると、切り替わることを知らない乗客に不安感を抱かせる虞がある。
【０００８】
また、エレベータの管制運転の動作に無関係に時刻が切り替えられると、管制運転の動作記録が動作途中で不連続となり好ましくないデータとなる虞がある。
【０００９】
さらに、エレベータかご内に乗客が存在する場合に、その乗客を撮影する映像記録の時刻表示が撮影途中で切り替えられ、タイムスタンプが不連続となる虞がある。
【００１０】
本願の目的は、かかる課題を解決し、建物ごとのサマータイムの運用に合わせて、適切な時間帯に時刻を切り替えるサマータイム時刻制御システム及び時刻切替方法を提供することである。
【課題を解決するための手段】
【００１１】
上記目的を達成するため、本発明に係るエレベータ内時計のサマータイム時刻制御システムは、建物に設けられた設備制御部と、各建物内の設備を遠隔から管理する遠隔管理センタとが通信回線を介して接続され、遠隔管理センタは、建物ごとのサマータイムに対する運用情報を記憶するサマータイム情報記憶部と、サマータイム情報記憶部に記憶された運用情報に基づき、サマータイムに関する切替情報及び切替条件を設定し、建物の設備制御部に発信するサマータイム情報管理部と、を備え、各建物の設備制御部は、建物内の設備における時刻を制御するサマータイム時刻制御部と、切替条件に合致した時刻であるか否かを判断するサマータイム時刻判断部と、を備え、サマータイム時刻制御部は、サマータイム時刻判断部が切替条件に合致すると判断した場合に、切替情報に基づいて建物内の設備における時刻を切り替えることを特徴とする。
【００１２】
上記構成により、遠隔管理センタのサマータイム情報管理部は、建物ごとのサマータイムの運用情報に基づき切替情報を各設備制御部のサマータイム時刻制御部に発信する。これにより、建物ごとにサマータイムの運用が設定でき、建物によりサマータイムの運用が異なる場合でも混乱することなく時刻を切り替えることができる。また、遠隔管理センタは、各建物に対して切替条件を発信し、各建物のサマータイム時刻判断部が切替条件に合致した時刻であるか否かを判断する。これにより、建物ごとに適切な時間帯に時刻を切り替えることができる。このように、遠隔管理センタは、各建物のサマータイムに関する管理を各建物のサマータイムの運用に合わせて個別に行い、各建物においてのサマータイムの切替条件の判断はそれぞれの設備制御部により判断させて適切な時間帯に時刻を切り替えさせることが可能となる。
【００１３】
また、サマータイム時刻制御システムは、サマータイム時刻制御部が、エレベータにおける制御記録用の内部時計の時刻を切り替え、内部時計の時刻に従ってエレベータかご内の時刻表示を切り替えさせることが好ましい。これにより、例えば、エレベータにおける監視カメラによる乗客の映像記録、管制運転時などのエレベータの動作記録の時刻表示の元となる内部時計を切り替えることができ、また、エレベータかご内の乗客がみる時刻表示を切り替えることができる。
【００１４】
また、サマータイム時刻制御システムは、サマータイム情報管理部が発信する切替条件には、エレベータかごの呼び登録がないこと、及びエレベータの管制運転時でないことが含まれることが好ましい。この切替条件により、エレベータかご内が無人であることが確認され、エレベータの乗客へ不安感を与えることがなく時刻表示を切り替えることができる。また、エレベータかご内に乗客が存在しないため、乗客を撮影する映像記録の時刻表示が撮影途中で切り替えられることが防止できる。さらに、管制運転中でないため管制運転の動作記録が動作途中で不連続となることが防止できる。
【００１５】
また、サマータイム時刻制御システムは、サマータイム情報管理部が発信する切替情報には、サマータイム切替時間帯、サマータイム復旧時間帯、変更相対時間が含まれることが好ましい。これにより、遠隔管理センタは、各建物の設備制御部に対して各建物のサマータイムの運用に合わせてサマータイム切替情報を送信することができる。
【００１６】
さらに、サマータイム時刻制御システムは、サマータイム情報管理部が、エレベータの内部時計のずれを遠隔からの通信により時刻合わせをする遠隔管理センタの時刻調整手段に対し、サマータイムに関する切替情報を通知することが好ましい。これにより、遠隔管理センタに対してサマータイムの時刻に基づいて各建物に対して時刻の調整を指令させることができる。
【００１７】
上記目的を達成するため、本発明に係るエレベータ内時計のサマータイム時刻切替方法は、遠隔管理センタが、建物ごとのサマータイムに関する運用情報を記憶するステップと、遠隔管理センタが、サマータイムに関する運用情報に従い、サマータイム切替時間帯又はサマータイム復旧時間帯、変更相対時間、及び切替条件を設定して建物の設備制御部に発信するステップと、建物の設備制御部が、サマータイム切替時間帯又はサマータイム復旧時間帯に該当するか否かを判断するステップと、サマータイム切替時間帯又はサマータイム復旧時間帯のいずれかに該当する場合に、切替条件に合致した状態であるか否かを判断するステップと、切替条件に合致した状態であると判断した場合に、サマータイム切替時間帯又はサマータイム復旧時間帯に基づいて建物内の設備における時刻を変更相対時間だけ切り替えるステップと、を備えることを特徴とする。
【００１８】
上記構成により、遠隔管理センタは、建物ごとのサマータイムの運用情報に基づき切替情報を各設備制御部に発信する。これにより、建物ごとにサマータイムの運用が設定でき、建物によりサマータイムの運用が異なる場合でも混乱することなく時刻を切り替えることができる。また、遠隔管理センタは、各建物に対して切替条件を発信し、各建物の設備制御部が切替条件に合致した状態であるか否かを判断する。これにより、建物ごとに適切な時間帯に時刻を切り替えることができる。このように、遠隔管理センタは、各建物のサマータイムに関する管理を各建物のサマータイムの運用に合わせて個別に行い、各建物においてのサマータイムの切替条件の判断はそれぞれの設備制御部により判断させて適切な時間帯に時刻を切り替えさせることが可能となる。
【００１９】
また、サマータイム時刻切替方法は、エレベータにおける制御記録用の内部時計の時刻が切り替えられ、内部時計の時刻に従ってエレベータかご内の時刻表示が切り替えられることが好ましい。これにより、例えば、エレベータにおける監視カメラによる乗客の映像記録、管制運転時などのエレベータの動作記録の時刻表示の元となる内部時計を切り替えることができ、また、エレベータかご内の乗客がみる時刻表示を切り替えることができる。
【００２０】
また、サマータイム時刻切替方法は、切替条件には、かご呼び登録がないこと、及びエレベータの管制運転時ではないことが含まれることが好ましい。この切替条件により、エレベータかご内が無人であることが確認され、エレベータの乗客へ不安感を与えることがなく時刻表示を切り替えることができる。また、エレベータかご内に乗客がいないため、乗客を撮影する映像記録の時刻表示が撮影途中で切り替えられることが防止できる。さらに、管制運転中でないため管制運転の動作記録が動作途中で不連続となることが防止できる。
【００２１】
さらに、サマータイム時刻切替方法は、エレベータの内部時計のずれを遠隔からの通信により時刻合わせをする遠隔管理センタの時刻調整手段に対し、サマータイムに関する切替情報を通知することが好ましい。これにより、遠隔管理センタに対してサマータイムの時刻に基づいて各建物に時刻の調整を指令させることができる。
【発明の効果】
【００２２】
以上のように、本発明に係るサマータイム時刻制御システム及びサマータイム時刻切替方法によれば、建物ごとのサマータイムの運用に合わせて、適切な時間帯及び適切な条件下において時刻を切り替えることが可能となる。
【発明を実施するための最良の形態】
【００２３】
以下に、図面を用いて本発明に係るサマータイム時刻制御システム、及びサマータイム時刻切替方法の実施の形態につき、詳細に説明する。
【００２４】
（サマータイム時刻制御システム）
図１に、サマータイム時刻制御システム１の１つの実施形態の概略構成を示す。図１では、遠隔管理センタ１０と３つの建物８ａ〜８ｃとにより本発明を説明する。図１に示すように、各建物８ａ〜８ｃに設けられた建物送受信部７ａ〜７ｃと、各建物８ａ〜８ｃ内の設備を遠隔管理する遠隔管理センタ１０に設けられた遠隔管理センタ送受信部６とは通信回線２０を介して接続される。本実施形態では、遠隔管理センタ１０は、遠隔管理センタ送受信部６、サマータイム情報記憶部２、サマータイム情報管理部３、及び時刻調整手段１２から構成される。また、本実施形態では、各建物８ａ〜８ｃの設備制御部１３ａ〜１３ｃは、建物送受信部７ａ〜７ｃ、サマータイム時刻判断部４ａ〜４ｃ、サマータイム時刻制御部５ａ〜５ｃ、及びエレベータ内部時計１４ａ〜１４ｃから構成される。
【００２５】
本実施形態では、各建物８ａ〜８ｃ内の設備はエレベータとするが、これに限らず、例えば、エスカレータ、空調設備、照明設備、給排水設備なども含まれる。また、エレベータに関する時刻については、エレベータかご１１ａ〜１１ｃの時刻表示装置９ａ〜９ｃの時刻、エレベータかご１１ａ〜１１ｃ内の乗客を撮影する監視カメラ１５ａ〜１５ｃの映像記録の時刻、例えばエレベータの管制運転などのエレベータの動作記録上の時刻、エレベータホールのディスプレイ（図示せず）の時刻などであるが、これに限らず、各建物８ａ〜８ｃ内の各設備に関する時刻も含まれる。
【００２６】
遠隔管理センタ１０内のサマータイム情報記憶部２は、建物８ａ〜８ｃごとのサマータイムに関する運用情報を個別に記憶する。このサマータイム情報記憶部２に記憶される各建物８ａ〜８ｃのサマータイムに関する運用情報は、適宜、追加されたり変更されたりして最新の運用情報が記憶される。例えば、建物８ａではサマータイムに関して一般的な適用時期（６月〜１０月）に従うという運用を行う。また、建物８ｂは外資系の会社であり、本国のサマータイムの時間帯に合わせるという運用を行う。また、建物８ｃの地域は寒冷地であることから、サマータイムに関して特別な適用時期（７月〜９月）を採用するという運用を行う。さらには、一部の地域でのみ試行的にサマータイムを導入する場合もある。このように、サマータイムの適用時期は、建物８ａ〜８ｃにより異なる場合がある。遠隔管理センタ１０は、各建物８ａ〜８ｃのサマータイムの運用情報を管理し、サマータイム情報記憶部２にそれらの情報を記憶しておく。
【００２７】
サマータイム情報管理部３は、サマータイム情報記憶部２に記憶された運用情報に基づき、サマータイムに関する切替情報及び切替条件を発信する。上述したように、サマータイム情報管理部３は、建物８ａ〜８ｃごとにサマータイムの運用が異なる場合には、各建物８ａ〜８ｃの運用時期に合わせてそれぞれの建物送受信部７ａ〜７ｃに対してサマータイム切替情報及び切替条件を発信する。
【００２８】
本実施形態では、切替情報は「サマータイム切替時間帯」、「サマータイム復旧時間帯」、及び「変更相対時間」である。「サマータイム切替時間帯」とは、通常の時間からサマータイムに移行する指定日もしくは指定曜日（例えば、６月第１日曜日など）及び時間をいう。「サマータイム復旧時間帯」とは、サマータイムから通常の時間に戻す指定日もしくは指定曜日（例えば、９月最終日曜日など）及び時間をいう。さらに、「変更相対時間」とは、通常の時間とサマータイムとの時間差をいい一般的には１時間である。
【００２９】
上述した「切替条件」には２つの条件がある。第１の条件は、「エレベータかご１１ａ〜１１ｃの乗客が無人であること」である。これは、突然エレベータかご１１ａ〜１１ｃ内の時刻表示が切り替えられるとエレベータかご１１ａ〜１１ｃ内の乗客へ不安感を与えることを回避するためである。また、この「エレベータかご１１ａ〜１１ｃの乗客が無人であること」であるという条件により、エレベータかご１１ａ〜１１ｃ内の乗客の映像記録の時刻が不連続となることが防止できる。本実施形態では、エレベータかご１１ａ〜１１ｃの乗客が無人であるか否かは、エレベータかご１１ａ〜１１ｃの呼び登録がないことにより判断する。すなわち、エレベータかご１１ａ〜１１ｃの呼び登録がない状態は、エレベータかご１１ａ〜１１ｃ内の乗客がいないことを意味するからである。このエレベータかご１１ａ〜１１ｃの乗客が無人であるか否かについては、エレベータかご１１ａ〜１１ｃ内に設置される人感センサ又は監視カメラ１５ａ〜１５ｃの動作状態、非常釦の状態から判断しても良い。
【００３０】
また、第２の条件は、「エレベータの管制運転時ではないこと」である。これは、火災や地震などの非常事態が発生した後にエレベータの動作状態を確認するために管制運転が行われるが、管制運転中に時刻表示が切り替わることでエレベータの動作記録の時刻が不連続性となることを防止するためである。このエレベータの管制運転には、例えば、非常事態だけでなく、エレベータの動作を点検する運転、遠隔からエレベータを運転させて点検するリモート点検なども含まれる。
【００３１】
図２に、サマータイム情報管理部３が建物８ａ〜８ｃへ送信するサマータイム切替情報及び切替条件の実施例を示す。サマータイム情報管理部３は、建物８ａに対しては、一般的な切り替えの運用のため、切替時間帯を「６月○日２：００ＡＭ〜４：００ＡＭ」とし、復旧時間帯を「１０月○日２：００ＡＭ〜４：００ＡＭ」とし、変更相対時間を、「１時間」とし、切替条件を「かご呼び無し」及び「管制運転でない」として発信する。また、建物８ｂに対しては、本国のサマータイムに合わせる運用のため、切替時間帯を「６月△日３：００ＡＭ〜５：００ＡＭ」とし、復旧時間帯を「１０月△日３：００ＡＭ〜５：００ＡＭ」とし、変更早退時間を、「１時間」とし、特例として、切替条件を「かご呼び無し」のみとして発信する。さらに、建物８ｃに対しては、寒冷地のサマータイムに合わせる運用のため、切替時間帯を「７月○日２：００ＡＭ〜４：００ＡＭ」とし、復旧時間帯を「９月○日２：００ＡＭ〜４：００ＡＭ」とし、変更相対時間を、「１時間」とし、切替条件を「かご呼び無し」及び「管制運転でない」として発信する。
【００３２】
各建物８ａ〜８ｃの設備制御部１３ａ〜１３ｃ内のサマータイム時刻制御部５ａ〜５ｃは、建物８ａ〜８ｃ内のエレベータに関する時刻を制御する。また、サマータイム時刻制御部５ａ〜５ｃは、サマータイム切替時間帯又はサマータイム復旧時間帯、及び変更相対時間を確認する。サマータイム時刻判断部４ａ〜４ｃは、上述した切替条件に合致した状態であるか否かを判断する。すなわち、エレベータかご１１ａ〜１１ｃの乗客が無人であることを、エレベータかご１１ａ〜１１ｃの呼び登録がないことにより判断する。また、エレベータの管制運転時ではないことを判断する。
【００３３】
そして、サマータイム時刻制御部５ａ〜５ｃは、サマータイム時刻判断部４ａ〜４ｃが切替条件に合致すると判断した場合に、切替情報に基づいて建物８ａ〜８ｃ内の設備における時刻を切り替える。すなわち、サマータイム時刻制御部５ａ〜５ｃは、エレベータにおける制御記録用の内部時計１４ａ〜１４ｃの時刻を切り替え、この内部時計１４ａ〜１４ｃの時刻に従ってエレベータかご１１ａ〜１１ｃ内の時刻表示を切り替えさせる。また、エレベータかご１１ａ〜１１ｃ内の監視カメラ１５ａ〜１５ｃによる乗客の映像記録の時刻表示も切り替えさせる。一般的には、エレベータの乗客がいない可能性の高い深夜２：００〜４：００に切り替えが行われるが、建物８ａ〜８ｃによっては異なる時間帯が設定される。サマータイム時刻制御部５ａ〜５ｃは、サマータイム切替時間帯の最終時刻、例えば４：００ＡＭになっても切り替え条件に合致しない場合には、強制的に変更相対時間だけ時刻表示を切り替える。
【００３４】
サマータイム情報管理部３は、エレベータ内部時計１４ａ〜１４ｃのずれを遠隔からの通信により時刻合わせをする遠隔管理センタ１０の時刻調整手段１２に対し、サマータイムに関する切替情報を通知する。すなわち、遠隔管理センタ１０内にある時刻調整手段１２は、各建物８ａ〜８ｃの設備装置の時刻を定期的に確認し、時刻の誤差を修正している。これは、時刻調整手段１２がサマータイムにより時刻が切り替わったことを認識しない場合には、時刻調整手段１２は変更相対時間を時刻の誤差と判断してしまうからである。そこで、サマータイム情報管理部３は、時刻調整手段１２に対してサマータイムに関する切替情報を通知し、時刻が変更相対時間だけ切り替えられたことを認識させる。
【００３５】
（サマータイム時刻切替方法）
図３に、遠隔管理センタ１０におけるサマータイム時刻切替方法の１つの実施形態のフローチャートを示す。まず、建物８ごとのサマータイムに関する運用情報を記憶する（Ｓ１００）。この記憶されたサマータイムに関する運用情報が追加又は変更されたか否かが判断され（Ｓ１０１）、追加、変更がある場合にはその建物８の運用情報が修正され（Ｓ１０２）最新の運用情報が記憶される（Ｓ１０１）。次に、サマータイムに関する運用情報に従い、切替情報及び切替条件を設定し（Ｓ１０３）、建物８の設備制御部１３に発信する（Ｓ１０４）。切替情報には、サマータイム切替時間帯又はサマータイム復旧時間帯、変更相対時間が含まれる。また、切替条件には、かご呼び登録がないこと、及びエレベータの管制運転時ではないことが含まれる。そして、対象となる全ての建物８に切替情報及び切替条件を発信したか否かを判断する（Ｓ１０５）。さらに、時刻調整手段１２に対してサマータイムに関する切替情報を通知する（Ｓ１０６）。
【００３６】
図４に、各建物８の設備制御部１３におけるサマータイム時刻切替方法の１つの実施形態のフローチャートを示す。まず、遠隔管理センタ１０からサマータイム切替情報及び切替条件を受信したか否かが判断される（Ｓ２０１）。受信している場合には、建物８の設備制御部１３が、サマータイム切替時間帯に該当するか否かを判断し（Ｓ２０２）、サマータイム復旧時間帯に該当するか否かを判断する（Ｓ２０３）。サマータイム切替時間帯又はサマータイム復旧時間帯のいずれかに該当する場合には、切替条件に合致した状態であるか否かを判断する（Ｓ２０４）。切替条件に合致した時刻であると判断した場合に、サマータイム切替時間帯又はサマータイム復旧時間帯に基づいて建物８内のエレベータにおける時刻を変更相対時間だけ切り替える（Ｓ２０６）。すなわち、エレベータにおける制御記録用の内部時計１４の時刻が切り替えられ、エレベータ内部時計１４の時刻に従ってエレベータかご１１内の時刻表示が切り替えられる。切替条件に合致した時刻でないと判断した場合には合致するまでＳ２０４を繰り返すが、時間帯の最終時刻になった場合には（Ｓ２０５）、強制的に建物８内のエレベータおける時刻を変更相対時間だけ切り替える（Ｓ２０６）。
【００３７】
このように、遠隔管理センタ１０は、各建物８ａ〜８ｃのサマータイムに関する管理を各建物８ａ〜８ｃのサマータイムの運用に合わせて個別に行い、各建物８ａ〜８ｃにおいてのサマータイムの切替条件の判断はそれぞれの建物８ａ〜８ｃの設備制御部１３ａ〜１３ｃにより判断させて適切な時間帯に時刻を切り替えさせることが可能となる。
【図面の簡単な説明】
【００３８】
【図１】本発明に係るエレベータ内時計のサマータイム時刻制御システムの１つの実施形態の概略構成を示すブロック図である。
【図２】サマータイム情報管理部が各建物へ送信するサマータイム切替情報及び切替条件の実施例を示す説明図である。
【図３】遠隔管理センタにおけるサマータイム時刻切替方法の１つの実施形態を示すフローチャートである。
【図４】各建物の設備制御部におけるサマータイム時刻切替方法の１つの実施形態を示すフローチャートである。
【符号の説明】
【００３９】
１  サマータイム時刻制御システム、２  サマータイム情報記憶部、３  サマータイム情報管理部、４  サマータイム時刻判断部、５  サマータイム時刻制御部、６  遠隔管理センタ送受信部、７  建物送受信部、８  建物、９  時刻表示装置、１０  遠隔管理センタ、１１  エレベータかご、１２  時刻調整手段、１３  設備制御部、１４  （エレベータ）内部時計、１５  監視カメラ、２０  通信回線。
【図１】
2010111484.tif 000003
【図２】
2010111484.tif 000004
【図３】
2010111484.tif 000005
【図４】
2010111484.tif 000006